(57)【要約】【課題】本発明は、仕掛けを投げ飛ばしたり、船乗って沖合いへ出なくても、リール操作により、浜辺などから沖合いまでの間を水平方向に移動して、魚を狙うことができる釣り方と釣具及び装置を提供する。【解決手段】図２の（ａ）（ｂ）（ｃ）に示すように、フロート２を目標とする場所へ、アンカー３で係留しておく。釣り竿２５に取り付けられたリール１のスプール２６ｂの釣り糸１０ｂは、沖合いに係留されているフロート２のフック１３及びフック１４を経由され、その先端とスプール２６ａの釣り糸１０ａとの間に仕掛け１２が取り付けられる。リール１の操作により、釣り糸１０ａと釣り糸１０ｂをフリー及び巻き取ることにより、仕掛け１２をフロート２と手元の間で自由に移動させて魚を狙うことができる。【選択図】図１
2020048543.tif 000002
【特許請求の範囲】
【請求項１】
沖合いに係留したフロート（２）で折り返えされた釣り糸（１０ａ）と（１０ｂ）の間に取り付けられた仕掛け（１２）を、リール（１）の操作で浜辺などからフロート（２）までの間を自由に移動させて、魚を狙うことができる釣り方。
【請求項２】
釣り糸を、折り返すためのフロート（２）とフロート（２）を係留するためのアンカー（３）。釣り後に、フロート（２）は手元に回収される。フロート係留用アンカー（３）は漁礁として海底に残す。
【請求項３】
請求項２の、フロート（２）とアンカー（３）を、沖合いへ運び、切り離した後に回収される搬送装置（４）。
【請求項４】
釣り糸を巻くスプール（２６ａ）とスプール（２６ｂ）の２個が具えられ、請求項１の釣り方と従来の釣り方にも使用できる釣り用リール。
【請求項５】
市販リールの取り付け部（３６ａ）と取り付け部（３６ｂ）の２箇所具えられ、釣り竿のリール取付け部に装着できるリール取り付け具。
【発明の詳細な説明】
【技術分野】
【０００１】  本発明は、道糸に取り付けられた仕掛けを、陸岸などから沖合いまでの間を、水平方向に移動をさせて、魚を狙うことができる釣り方と釣具及び装置に関する。
【背景技術】
【０００２】  魚の釣り方は、浜辺などからの投げ釣り、磯・波止場釣り、船による船釣り等がある。【０００３】  投げ釣りは、道糸の先に取り付けられた仕掛けを釣り竿で、沖合いに投げ込む。その後、手元まで引いてくる動作を繰り返す釣り方である。【０００４】  磯釣りと波止場釣りは、磯や波止場の周辺は深いので近場に仕掛けを入れて釣る。【０００５】  船釣りは、遊魚船等の船に乗って、沖合いの深場まで行き仕掛けを入れて釣る。
【発明の概要】
【発明が解決しようとする課題】
【０００６】  投げ釣りは、釣り糸に取り付けられた仕掛けを、釣り竿で目標場所に投げ込む。従って、正確に投入する技術や体力に自信がない人には向かない。【０００７】  波止場釣りは足元が安全で家族向きである。周辺が深く、近場に仕掛けを入れて、釣ることができるので、人気があるが、限られた狭い場所であるので、場所取りが大変で、非常に混雑する。磯釣りは足元が不安定な場所が多くて、熟練した釣り人向きである。【０００８】  船釣りは、遊魚船等の船に乗って沖合いに出て、魚のいる所を探して釣るので釣果が上がる確率が高い。しかし、船酔いなどの心配がある。【０００９】  そこで、本発明は、仕掛けを投げ飛ばしたり、船乗って沖合いへ出なくても、リール操作により浜辺などから沖合いまでの間を、水平方向に移動して、魚を狙うことができる釣り方と釣具及び装置を提供することを目的とする。
【課題を解決するための手段】
【００１０】  前述した目的を達成するために、第一の発明は、目標とする場所に釣り糸を折り返すためのフロートをアンカーで係留しておき、道糸に取り付けた仕掛けを、リールの操作で浜辺などから沖合いのフロートまでの間を、水平移動させ、魚を狙うことができる釣り方。
第二の発明は、釣り糸の折り返し用フロートとフロート係留用アンカー。釣り後に、フロートは、回収される。アンカーは、漁礁として海底に残される釣具。
第三の発明は、フロートとアンカーを沖合いへ運び、切り離した後に、回収される搬送装置。
第四の発明は、スプールを２個具えられた魚釣りリールで、第一発明の釣り方と従来の釣り方にも使用できる。
第五の発明は、リール取り付け部を２箇所具えられ、釣り竿に装着できる、リール取り付け具である。
【発明の効果】
【００１１】  第一の発明によれば、子供から年配者及び女性や身障者でも、船釣りや投げ釣りの対象となる魚も狙うことができるようになった。【００１２】  第二の発明によれば、フロート係留用アンカーは、海岸などにある岩や砂利などを自然由来及び生分解糸などのネットを利用し、漁礁として残すことができる。
【図面の簡単な説明】
【００１３】
【図１】第一の発明の釣り方を実施できる状態の側面図である。
【図２】第一の発明の釣り方を実施するための準備形態を示す側面図である。
【図３】第二の発明の釣り糸の折り返し用フロートとフロート係留用アンカーの斜視図である。
【図４】第三の発明の、釣り糸折り返し用フロートと係留用アンカーを運ぶための搬送装置の斜視図である。
【図５】第四の発明は、スプールを２個具えられた魚釣りリールの部分断面図である。
【図６】第五の発明は、リール取り付け部を２箇所具えられた、リール取り付け具の斜視図である。
【発明を実施するための形態】
【００１４】以下、本発明を実施するための形態について説明する。
【００１５】  図１に示すように、釣り竿２５に取り付けられた、リール１のスプール２６ｂに巻かれた釣り糸１０ｂの先端は、フロート２のフック１３とフック１４の中を経由して、スプール２６ａに巻かれた釣り糸１０ａの先端に取り付けられた仕掛け１２に取り付けられている。
【００１６】  フロート２は、図３（ａ）に示すように、フロート２に具えられたスプール１５に巻かれた釣り糸１８の先端はアンカー３のネット４１を経由させて、フック１３の先端に掛けられることによりアンカー３と繋がれる。
【００１７】  図４の搬送装置４は、先端部にフロート２とアンカー３を収納するスペースを具えている。
電動モーター２３によりスクリュー２２を回し推進される。タイマースィッチ２０により航続時間を任意に設定することができ、タイムアップによりモーター２３の駆動停止と同時に切り離し部２４を作動させて、積み込まれたフロート２とアンカー３を分離させることができる。
【００１８】  図５のリール１はスプール２個具えられている。主軸２８にベアリング２６ａとスプール２７ｂが取り付けられている。スプール２７ａ及びスプール２７ｂ側面には溝４０ａ及び溝４０ｂが彫られている。主軸２８には、円盤３１とピン２９が取り付けられた、スライドバー３０が組み込まれていて、切り替えレバー３５を操作することにより、円盤３１が押され、ピン２９がそれぞれのスプールの、溝４０ａもしくは溝４０ｂにはいり、主軸２８の回転を伝達することができる。
【００１９】  図６は市販リールを２個装着するためのリール取付け具５で、リール取り付け部３６ａ及び３６ｂを具えられていて、装着板３８にて釣竿に装着される。市販リールを取り付けることで、図１に示す釣り方が可能となる。
【００２０】  次に、前述した構成からなる本実施形態の作用について説明する。
【００２１】  図２の（ａ）は、リール１に巻かれた釣り糸を取り付けられたフロート２とアンカー３を搬送装置４に乗せ、釣り糸を曳きながら沖合いへ運ぶ状態を示している。（ｂ）は、搬送装置４でフロート２とアンカー３を運んで切り離し、フロート２がアンカー３で係留された状態を示している。搬送装置４は、リール１のスプール２６ｂをフリーにしてスプール２６ａで、釣り糸１０ａを巻き取ることにより、釣り糸１０ａに取り付けられたビーズ１９が搬送装置４に取り付けられているガイドリング１１ａに掛けられ、手元まで曳航される。（ｃ）は、手元へ回収された搬送装置４を取り外し、釣り糸１０ａと釣り糸１０ｂの間に仕掛け１２を取り付けるまでの準備状態を示している。
【００２２】  前記、実施形態の準備後の図１による釣り方の実施方法について説明する。仕掛け１２を沖合いに係留してあるフロート２側へ移動する場合は、リール１のスプール２６ａをフリーにして、スプール２６ｂにより釣り糸１０ｂを巻き取る。手元側へ移動する場合は、スプール２６ｂをフリーにして、スプール２６ａで釣り糸１０ａを巻き取る。すなわち、仕掛け１２をフロート２と手元の間で自由に移動させて、魚を狙うことができる。
【００２３】  釣り終了後の、フロート２の回収方法について図３（ｂ）により説明する。
【００２４】  釣り糸１０ａと釣り糸１０ｂの間にビーズ４２を取り付け、リール１のスプール２６ａをフリーにして、スプール２６ｂで釣り糸１０ｂを巻くことにより、ビーズ４２が、フック１３に掛かり、フック１３が引かれることにより先端に掛けられていた、釣り糸１８が外れ、アンカー３のネット４１から抜き取られる。そして、釣り糸１０ａ及び１０ｂを巻きとることにより、フロート２は手元へ回収される。アンカー３は、漁礁として海低に残される。
【符号の説明】
【００２５】１      リール
２      フロート（釣り糸折り返し用）
３      アンカー（フロート係留用）
４      搬送装置
５      リール取付け具
１０ａ  釣り糸
１０ｂ  釣り糸
１１ａ  ガイドリング
１１ｂ  ガイドリング
１２    仕掛け
１３    フック
１４    服
１５    スプール
１７    砂利
１８    釣り糸（アンカー係留用）
１９    ビーズ
２０    タイマースイッチ
２１    スクリュー
２２    電動モーター
２４    切り離し部
２５    釣り竿
２６ａ  スプール
２７ｂ  スプール
２８    主軸
２９    ピン
３０    スライドバー
３１    円盤
３２    ビス
３４    駆動ギヤ組
３５    切り替えレバー
３６ａ  リール取付け部
３６ｂ  リール取付け部
３７ａ  リール（市販）
３７ｂ  リール（市販）
３８    装着板
４０ａ  溝
４０ｂ  溝
４１    ネット
４２    ビーズ
４３    スプリング
【図１】
2020048543.tif 000003
【図２】
2020048543.tif 000004
【図３】
2020048543.tif 000005
【図４】
2020048543.tif 000006
【図５】
2020048543.tif 000007
【図６】
2020048543.tif 000008